(57)【特許請求の範囲】
【請求項１】
互いに直交する前後方向及び幅方向と、
着用者の排泄口と対向する中央域と、
着用者の臀部と対向する後側域と、
前記中央域よりも前側に位置する前側域と、
前記中央域と前記後側域の間に位置する中間域と、
前記中央域、前記前側域、前記後側域及び前記中間域に配置される吸収コアと、を有する吸収性物品であって、
前記吸収コアは、前記吸収コアの両外側縁から幅方向内側にそれぞれ延びる一対の第１低目付領域と、前記後側域において前記幅方向の中心を結ぶ中心線に沿って前記前後方向に延びる第２低目付領域と、を有し、
前記第１低目付領域の目付及び前記第２低目付領域の目付は、前記後側域における前記吸収コアの外側縁の目付よりも低く、
前記一対の第１低目付領域は、前記幅方向において離間しており、前記中央域、前記後側域、及び前記中間域のうち前記中間域のみに配置され、前記前側域に設けられていない、吸収性物品。
【請求項２】
前記吸収コアの非肌面側に位置する非肌面シートには、前記吸収性物品を下着に止めるための粘着領域が設けられており、
前記第１低目付領域及び前記第２低目付領域は、厚み方向において前記粘着領域に重ならない領域に配置される、請求項１に記載の吸収性物品。
【請求項３】
前記中央域には、前記中心線を挟んで両側に一対の第１サイド圧搾部がそれぞれ設けられており、
前記後側域には、前記第２低目付領域を挟んで両側に一対の第２サイド圧搾部がそれぞれ設けられており、
前記中間域には、圧搾部が設けられない、請求項１又は請求項２に記載の吸収性物品。
【請求項４】
前記第１低目付領域の前後方向の長さは、前記第１低目付領域の外側縁の位置で、１０ｍｍ以上かつ５０ｍｍ以下である、請求項１から請求項３のいずれかに記載の吸収性物品。
【請求項５】
前記後側域には、前記中央域の吸収コアの外側縁よりも幅方向の外側に延出するヒップフラップを有する、請求項１から請求項４のいずれかに記載の吸収性物品。
【請求項６】
前記第１低目付領域の外側縁の前後方向の長さは、前記第１低目付領域の内側縁の前後方向の長さよりも長く、
前記第１低目付領域の前後方向の長さは、前記幅方向の外側に向かうにつれて長くなる、請求項１から請求項５のいずれかに記載の吸収性物品。
【請求項７】
前記第２低目付領域は、前記第１低目付領域の後端縁同士を結ぶ仮想線に対して交差する、請求項１から請求項６のいずれかに記載の吸収性物品。
【請求項８】
前記吸収性物品を折り畳むための折り線を有し、
前記第１低目付領域は、前記折り線を有しない領域に配置される、請求項１から請求項７のいずれかに記載の吸収性物品。
【請求項９】
前記第２低目付領域の後端縁は、前記吸収コアの後端縁よりも前方に位置する、請求項１から請求項８のいずれかに記載の吸収性物品。
【請求項１０】
前記第２低目付領域の後端縁は、前記吸収コアの後端縁に位置する、請求項１から請求項８のいずれかに記載の吸収性物品。
【発明の詳細な説明】
【技術分野】
【０００１】
本発明は、生理用ナプキン等の下着に装着する吸収性物品に関する。
【背景技術】
【０００２】
吸収体の外側縁から幅方向の内側に延びる切れ込みを有する吸収性物品が開示されている（例えば、特許文献１参照）。特許文献１の切れ込みは、前後方向に間隔を空けて複数設けられている。
【先行技術文献】
【特許文献】
【０００３】
【特許文献１】特開２０１３−５２２９０号公報
【発明の概要】
【発明が解決しようとする課題】
【０００４】
特許文献１の吸収性物品は、前後方向に間隔を空けて複数の切れ込みが形成されており、吸収性物品の前後方向全域にわたって切れ込みを介して変形し易く構成されている。そのため、吸収性物品の全体が繰り返し変形し、吸収性物品のよれやずれによる漏れが発生するおそれがある。また、着用者の臀部に当たる後側域においては、後側域の両方の外側縁が切れ込みを介して変形する。そのため、後側域の幅方向の中央が体にフィットし続け難く、臀裂と吸収性物品との間に隙間が生じ、漏れが発生するおそれがある。
【０００５】
また、特許文献1の吸収性物品は、後側域に複数の切れ込みが形成されており、当該切れ込みが配置された部分には吸収材料が配置されていない。よって、切れ込みを介して体液の漏れが後側域において発生するおそれがある。
【０００６】
本発明は、上述の課題に鑑みてなされたものであり、着用者の臀部に対するフィット性を高めて、排泄物の漏れを抑制することを目的とする。
【課題を解決するための手段】
【０００７】
上述した課題を解決するため、本開示に係る吸収性物品（吸収性物品１）は、互いに直交する前後方向（前後方向Ｌ）及び幅方向（幅方向Ｗ）と、着用者の排泄口と対向する中央域（中央域Ｓ１）と、着用者の臀部と対向する後側域（後側域Ｓ３）と、前記中央域と前記後側域の間に位置する中間域（中間域Ｓ４）と、前記中央域、前記後側域及び前記中間域に配置される吸収コア（吸収コア３１）と、を有する吸収性物品であって、前記吸収コアは、前記吸収コアの両外側縁から幅方向内側にそれぞれ延びる一対の第１低目付領域（第１低目付領域４１）と、前記後側域において前記幅方向の中心を結ぶ中心線に沿って前記前後方向に延びる第２低目付領域（第２低目付領域４２）と、を有し、前記第１低目付領域の目付及び前記第２低目付領域の目付は、前記後側域における前記吸収コアの外側縁の目付よりも低く、前記一対の第１低目付領域は、前記幅方向において離間しており、前記中央域、前記後側域、及び前記中間域のうち前記中間域のみに配置されることを要旨とする。
【発明の効果】
【０００８】
本開示によれば、着用者の臀部に対するフィット性を高めて、排泄物の漏れを抑制する吸収性物品を提供できる。
【図面の簡単な説明】
【０００９】
【図１】一実施形態における吸収性物品の平面図である。
【図２】図１とは反対側から見た吸収性物品の平面図である。
【図３】図１のＡ−Ａ線に沿った吸収性物品の断面図である。
【図４】図１のＢ−Ｂ線に沿った吸収性物品の断面図である。
【図５】図１に示す吸収性物品の着用者に装着された状態の断面図である。
【図６】図１に示す吸収性物品の着用者に装着された状態の断面図である。
【図７】図１に示す吸収性物品の着用者に装着された状態の動きを説明するための図である。
【図８】変形例に係る吸収性物品の平面図である。
【発明を実施するための形態】
【００１０】
本明細書及び添付図面の記載により、少なくとも以下の事項が明らかとなる。
【００１１】
互いに直交する前後方向及び幅方向と、
着用者の排泄口と対向する中央域と、
着用者の臀部と対向する後側域と、
前記中央域と前記後側域の間に位置する中間域と、
前記中央域、前記後側域及び前記中間域に配置される吸収コアと、を有する吸収性物品であって、
前記吸収コアは、前記吸収コアの両外側縁から幅方向内側にそれぞれ延びる一対の第１低目付領域と、前記後側域において前記幅方向の中心を結ぶ中心線に沿って前記前後方向に延びる第２低目付領域と、を有し、
前記第１低目付領域の目付及び前記第２低目付領域の目付は、前記後側域における前記吸収コアの外側縁の目付よりも低く、
前記一対の第１低目付領域は、前記幅方向において離間しており、前記中央域、前記後側域、及び前記中間域のうち前記中間域のみに配置される、吸収性物品。
【００１２】
このような吸収性物品によれば、第１低目付領域によって、中央域における吸収コアの変形が後側域における吸収コアの変形に与える影響を抑制し、中央域と後側域とで吸収性物品が独立して変形し易くなっている。よって、吸収性物品の中央域を着用者の股下の形状に沿って配置し、かつ吸収性物品の後側域を着用者の臀部の形状に沿って配置できる。よって、中央域と後側域とをそれぞれ体にフィットさせた状態を維持し易くなり、フィット感を高めることができる。
【００１３】
このように吸収性物品が体にフィットした状態で着用者が歩行すると、両脚によって挟まれる中央域には、捻じれ方向の力がかかる。このとき、一対の第１低目付領域がそれぞれ変形し、第１低目付領域で捻じれ方向の力による変形を吸収し、後側域の変形を少なくできる。よって、後側域は、脚の動きによって中央域が大きく移動した場合であっても、中央域と比べて少なく移動し、臀部に対して沿い続けることができる。
【００１４】
また、一対の第１低目付領域が幅方向に離間して配置しており、一対の第１低目付領域間の吸収コアを中心として中央域と後側域とのそれぞれが左右に変形できる。よって、歩行時における着用者の体に追従して、吸収性物品が捻じれるように変形することができ、股下及び臀部に対するフィット性を維持し、漏れを抑制できる。また、中央域及び後側域が体にフィットした状態が歩行時に維持されるため、着用者は、吸収性物品が常に体に沿い続けるという安心感を得ることができる。
【００１５】
かかる吸収性物品であって、
前記吸収コアの非肌面側に位置する非肌面シートには、前記吸収性物品を下着に止めるための粘着領域が設けられており、
前記第１低目付領域及び前記第２低目付領域は、厚み方向において前記粘着領域に重ならない領域に配置されることが望ましい。
【００１６】
このような吸収性物品によれば、第１低目付領域の変形及び第２低目付領域の変形が下着によって過度に阻害されることを抑制できる。第１低目付領域によって中央域にかかる力を後側域に伝達することを抑制することができ、かつ第２低目付領域を基点に吸収性物品を凸状に変形させて臀部に対するフィット性を維持できる。
【００１７】
かかる吸収性物品であって、
前記中央域には、前記中心線を挟んで両側に一対の第１サイド圧搾部がそれぞれ設けられており、
前記後側域には、前記第２低目付領域を挟んで両側に一対の第２サイド圧搾部がそれぞれ設けられており、
前記中間域には、圧搾部が設けられないことが望ましい。
【００１８】
このような吸収性物品によれば、中間域に圧搾部が設けられなく、第１サイド圧搾部と第２サイド圧搾部が前後方向に離れているため、中央域における吸収コアの変形が、後側域における吸収コアの変形に与える影響をより効果的に抑制できる。また、第２低目付領域の両側には、前後方向に延びる一対の第２サイド圧搾部が設けられている。第２サイド圧搾部は、比較的剛性が高いため、吸収コアの変形基点となる。一対の第２サイド圧搾部の間に挟まれた第２低目付領域は、より着用者の体側に隆起し易くなる。これにより、より着用者の体になじみ、着用者に対して心地よいフィット感を与えることができる。中央域における吸収コアの側部は、第１サイド圧搾部によって剛性が高くなり、吸収コアの側部に対して幅方向の中央が着用者の排泄口に向かって凸状に変形し易くなる。
【００１９】
また、中間域は、圧搾部が設けられず、比較的剛性が低いため、吸収性物品に捻じれ方向の力がかかった際に一対の第１低目付領域によって変形し易い。よって、脚の動きに追従するように、吸収性物品が捻じれるように変形できる。よって、第１低目付領域によって前側域の変形を吸収し、後側域を臀部により沿わせ続けることができ、漏れを抑制できる。
【００２０】
かかる吸収性物品であって、
前記第１低目付領域の前後方向の長さは、前記第１低目付領域の外側縁の位置で、１０ｍｍ以上、５０ｍｍ以下であることが望ましい。
【００２１】
このような吸収性物品によれば、第１低目付領域の外側縁の前後方向の長さが１０ｍｍ以上であるため、中央域の変形と後側域の変形とを効果的に分断できる。また、第１低目付領域の外側縁における前後方向の長さが５０ｍｍ以下であるため、第１低目付領域によって体の変形を吸収しつつ後側域によって臀部側に流れた体液を吸収できる。使用者は、臀部側に経血が流れる不安を感じ難く、装着時の安心感を得ることができる。
【００２２】
かかる吸収性物品であって、
前記後側域には、前記中央域の吸収コアの外側縁よりも幅方向の外側に延出するヒップフラップを有することが望ましい。
【００２３】
このような吸収性物品によれば、着用時に吸収コアの側部のみならず、ヒップフラップも押し下げられる。よって、第２低目付領域を頂点として後側域の吸収コアが更に隆起し易くなる。よって、着用者の臀部に沿って吸収コアを配置し、臀部における漏れを抑制する効果をより得やすくなる。
【００２４】
かかる吸収性物品であって、
前記第１低目付領域の外側縁の前後方向の長さは、前記第１低目付領域の内側縁の前後方向の長さよりも長く、
前記第１低目付領域の前後方向の長さは、前記幅方向の外側に向かうにつれて長くなることが望ましい。
【００２５】
このような吸収性物品によれば、第１低目付領域の外側縁の前後方向の長さが第１低目付領域の内側縁の前後方向の長さよりも長いため、吸収コアが捻れる力を受けた際に吸収コアの可動域が広くなり、吸収コアがより体に追従して変形できる。また、第１低目付領域は、左右それぞれに一対で形成されており、第１低目付領域の形状は、幅方向内側に向かって細くなる先細り形状である。よって、左右の第１低目付領域において幅方向内側に延びる外縁を延長した仮想線は、略Ｘ字形状となる。吸収コアは、幅方向中央を支点に回転方向に移動し易くなり、脚の前後の動きに対して追従し易くなる。
【００２６】
かかる吸収性物品であって、前記第２低目付領域は、前記第１低目付領域の後端縁同士を結ぶ仮想線に対して交差することが望ましい。
【００２７】
このような吸収性物品によれば、第１低目付領域を結ぶ仮想線に対して第２低目付領域が交差しているため、第１低目付領域を基点として吸収コアの変形を第２低目付領域に伝播しやすくなる。また、第２低目付領域を頂点として凸状に変形した部分は、一対の第１低目付領域の間に位置し、第１低目付領域を介して着用者の脚からの力を受ける。そのため、第２低目付領域の後側は、第１低目付領域を介して幅方向外側から幅方向内側に向かう力を受けた際に、第１低目付領域を結ぶ仮想線上の第２低目付領域を支点として左右に動く。第２低目付領域が幅方向に自由に移動する構成と比較して、第２低目付領域の前側の移動を制限でき、吸収コアのよれを抑制でき、体液の漏れを抑制できる。
【００２８】
かかる吸収性物品であって、
前記吸収性物品を折り畳むための折り線を有し、
前記第１低目付領域は、前記折り線を有しない領域に配置されることが望ましい。
【００２９】
このような吸収性物品によれば、第１低目付領域が折り線を有しない領域に配置されているため、第１低目付領域に折り癖が形成されず、第１低目付領域を基点に吸収コアを変形させることができる。
【００３０】
かかる吸収性物品であって、
前記第２低目付領域の後端縁は、前記吸収コアの後端縁よりも前方に位置してよい。
【００３１】
このような吸収性物品によれば、第２低目付領域よりも後方は、吸収コアが配置され、第２低目付領域が形成されていないため着用者側に隆起しない。体の臀裂よりも後方は、仙骨周辺となり、比較的平らな形状である。仙骨周辺に当たる部分が平らな形状となり、吸収コアの後端縁が着用者の体にフィットする。
【００３２】
かかる吸収性物品であって、前記第２低目付領域の後端縁は、前記吸収コアの後端縁に位置してよい。
【００３３】
このような吸収性物品によれば、後側域の吸収コアが第２低目付領域によって左右に分断されており、第２低目付領域を挟んだ片方ずつの吸収コアが脚の交互の動きによって移動する。よって、第２低目付領域を挟んだ片方の吸収コアを体の動きに追従するように移動させ、他方の吸収コアを体にフィットさせ続けることができる。
【００３４】
＝＝＝本実施の形態に係る吸収性物品について＝＝＝
以下、図面を参照して、実施形態に係る吸収性物品ついて説明する。吸収性物品は、パンティーライナー（おりものシート）や生理用ナプキンや失禁パッド等の任意の吸収性物品であってよい。以下の実施形態では、吸収性物品の一例として使い捨ての生理用ナプキンについて説明する。
【００３５】
なお、以下の図面の記載において、同一又は類似の部分には、同一又は類似の符号を付している。ただし、図面は模式的なものであり、各寸法の比率等は現実のものとは異なる場合があることに留意すべきである。したがって、具体的な寸法等は、以下の説明を参酌して判断すべきである。また、図面相互間においても互いの寸法の関係や比率が異なる部分が含まれ得る。
【００３６】
（１）吸収性物品の全体的構成
図１は、一実施形態における吸収性物品の平面図である。図２は、図１とは反対側から見た吸収性物品の平面図である。図３は、図１のＡ−Ａ線に沿った吸収性物品の断面図である。図４は、図１のＢ−Ｂ線に沿った吸収性物品の断面図である。
【００３７】
吸収性物品１は、前後方向Ｌと幅方向Ｗと厚み方向Ｔとを有する。前後方向Ｌは、着用者の前側（腹側）から後側（背側）に延びる方向、又は着用者の後側から前側に延びる方向である。幅方向Ｗは、前後方向Ｌと直交する方向である。厚み方向Ｔは、着用者の肌面側Ｔ１から非肌面側Ｔ２へ延びる方向であり、前後方向Ｌ及び幅方向Ｗに直交する方向である。肌面側Ｔ１は、使用時に、着用者の肌に面する側に相当する。非肌面側Ｔ２は、使用時に、肌面側Ｔ１とは反対側、すなわち着用者の肌とは反対に向けられる側に相当する。
【００３８】
吸収性物品１は、中央域Ｓ１、前側域Ｓ２、後側域Ｓ３、及び中間域Ｓ４を有する。中央域Ｓ１は、着用者の排泄口（例えば膣口）に対向する領域の前後方向中心を含む領域である。吸収性物品が下着に装着されたときに、中央域Ｓ１は、下着の股下部に位置する。つまり、中央域は、着用者の股下、すなわち着用者の両脚の間に配置される領域である。
【００３９】
前側域Ｓ２は、中央域Ｓ１よりも前側に位置する。前側域Ｓ２の前端縁は吸収性物品１の前端縁を規定する。後側域Ｓ３は、中間域Ｓ４よりも後側に位置する。後側域Ｓ３の後端縁は吸収性物品１の後端縁を規定する。後側域Ｓ３の前後方向Ｌの長さは、中央域Ｓ１の前後方向Ｌの長さよりも長くなっていてよい。
【００４０】
中間域Ｓ４は、中央域Ｓ１よりも後方かつ後側域Ｓ３よりも前方に位置する。中間域Ｓ４は、後述するウイング３の後端縁を含む領域である。中間域Ｓ４の前端縁は、後述する第１低目付領域４１の前端縁であり、中間域Ｓ４の後端縁は、第１低目付領域４１の後端縁である。
【００４１】
中央域Ｓ１には、ウイング３が設けられていてよい。また、後側域Ｓ３には、幅方向Ｗの外側に膨らんだヒップフラップ４が設けられていてよい。ヒップフラップ４は、中央域Ｓ１の吸収コアの外側縁よりも幅方向の外側に延出する。ウイング３の前端縁は、ウイング３の付け根によって規定されており、最も幅方向Ｗの内側に窪んだ２つの部分のうち、前側に位置する部分に相当する。ウイング３の前端縁は、中央域Ｓ１と前側域Ｓ２との境界を規定していてもよい。ウイング３の後端縁は、ウイング３の付け根によって規定されており、最も幅方向Ｗの内側に窪んだ２つの部分のうち、後側に位置する部分に相当する。
【００４２】
吸収性物品１は、肌面シート１０、非肌面シート２０及び吸収体３０を有する。肌面シート１０は、吸収体３０よりも肌面側Ｔ１に設けられる。非肌面シート２０は、吸収体３０よりも非肌面側Ｔ２に設けられる。吸収体３０は、肌面シート１０と非肌面シート２０との間に設けられる。
【００４３】
肌面シート１０は、表面シート１１及びサイドシート１２を有していてよい。表面シート１１は、体液等の液体を透過する液透過性のシートである。表面シート１１は、幅方向Ｗにおける吸収体３０の中央部を覆う。表面シート１１は、前後方向Ｌに前側域Ｓ２から後側域Ｓ３まで延びていてよい。
【００４４】
サイドシート１２は、幅方向Ｗにおける表面シート１１の外側縁を覆い、表面シート１１よりも幅方向Ｗの外側へ延びている。サイドシート１２は、表面シート１１と同様の材料から構成することができる。サイドシート１２は、幅方向Ｗにおける吸収体３０の外側縁、ウイング３及びヒップフラップ４に配置されていてよい。非肌面シート２０は、液不透過性のシートである。
【００４５】
サイドシート１２の内側縁は、前後方向Ｌに沿って幅方向Ｗの外側に折り返されている。なお、本明細書において、前後方向に沿う状態とは、前後方向に対して平行な状態を含んでおり、幅方向に沿う状態とは、幅方向に対して平行な状態を含んでいる。当該折り返されたサイドシート１２間に、前後方向Ｌに伸縮する伸縮性部材９１が配置されている。サイドシート１２の内側縁及び伸縮性部材９１は、起立性の防漏カフを構成する。防漏カフの起立点は、伸縮性部材９１の後端縁、伸縮性部材９１の前端縁、及びサイドシートにおける伸縮性部材よりも幅方向外側の領域である。
【００４６】
吸収体３０は、少なくとも中央域Ｓ１、中間域Ｓ４及び後側域Ｓ３に配置される。吸収体３０は、液体を吸収する吸収材料を含む吸収コア３１と、吸収コア３１を包むコアラップ３２と、を有する。コアラップ３２は、少なくとも吸収コア３１よりも肌面側で吸収コア３１を覆っていればよい。吸収コア３１を構成する吸収材料は、例えば、親水性繊維、パルプ及び高吸水性高分子（ＳＡＰ）から形成できる。コアラップは、例えば不織布やティッシュシートから構成することができる。
【００４７】
ウイング３及びヒップフラップ４は、中央域Ｓ１における吸収コア３１の外側縁よりも幅方向Ｗの外側に延出している。ウイング３及びヒップフラップ４は、サイドシート１２と非肌面シート２０との積層によって構成されていてよい。ウイング３は、非肌面シート２０側に折り返し可能に構成されている。ウイング３は、使用時に下着のクロッチ部の非肌面側に折り返される。ヒップフラップ４は、ウイング３よりも後側に位置し、後側域Ｓ３に設けられている。ヒップフラップ４は、使用時に折り返されず、下着と着用者の臀部との間に配置される。
【００４８】
本明細書における「吸収コアの厚み」の測定は、以下の測定方法によって行われるものとする。
【００４９】
吸収性物品１がパッケージなどに封入されている場合には、パッケージから取り出し、その状態にて20℃±2℃、相対湿度60％±5％RHの雰囲気下において12時間放置したサンプルを用いる。
【００５０】
測定位置は、吸収コアの製品幅方向中央部とする。測定する際は、吸収性物品が縮んだ状態ではなく、吸収性物品の伸縮性部材を伸張させた状態として測定する。また、吸収コア以外の肌面シート及び非肌面シート等、吸収コア以外の部分を取り除く。尾崎製作所（株）製のダイアルゲージ ＰＥＡＣＯＣＫを使用し、測定子には直径１０ｍｍのものを採用し、大きさが３０ｍｍ×３０ｍｍの試片を用意して、当該試片の厚みを測定する。測定器は、試片に対する測定圧が３ｇ／ｃｍ２となるように調整する。ここで、１０サンプルに対して、それぞれの状態で上述の測定を行い、その平均値を、長さとした。
【００５１】
また、本明細書における「吸収コアの目付及び密度」の測定は、以下の測定方法によって行われるものとする。
【００５２】
吸収性物品１がパッケージなどに封入されている場合には、パッケージから取り出し、その状態にて20℃±2℃、相対湿度60％±5％RHの雰囲気下において12時間放置したサンプルを用いる。
【００５３】
包装体によって包装された吸収性物品においては包装体を開封し、折り畳まれた吸収性物品を展開して、目付及び密度を測定する部分の厚み及び面積を測定する。次いで、目付及び密度を測定する部分を吸収性物品から切り出し、切り出した部分の重量を測定する。
【００５４】
次いで、切り出した部分から肌面シート及び非肌面シート等、吸収コア以外の部分を取り除き、吸収体の重量を測定する。吸収体の重量と、目付及び密度を測定する部分の面積とに基づいて目付を算出する。目付及び厚みに基づいて、密度を算出する。
【００５５】
また、本明細書における「長さ」の測定は、以下の測定方法によって行われるものとする。
【００５６】
吸収性物品１がパッケージなどに封入されている場合には、パッケージから取り出し、その状態にて20℃±2℃、相対湿度60％±5％RHの雰囲気下において12時間放置したサンプルを用いる。次いで、シンワ測定株式会社製のスプリングメジャー（テープ：ガラス繊維入塩ビ被覆）を用いて、測定対象部位に沿わせるようにして、測定対象部位のこの状態の長さを測定する。ここで、１０サンプルに対して、それぞれの状態で上述の測定を行い、その平均値を、長さとした。
【００５７】
（２）吸収体の詳細構成
次に、吸収体３０の構成についてより具体的に説明する。吸収コア３１は、少なくとも中央域Ｓ１に、中高部３３を有する。中高部３３は、中央域Ｓ１から前側域Ｓ２へ延びていてもよい。中高部３３は、中央域Ｓ１において、中心線ＣＬを跨いで配置されている。中心線は、吸収性物品の幅方向の中心を結ぶ線であり、前後方向と平行である。中高部３３は、吸収コアの外側縁の厚みよりも厚みが厚い領域を意味する。中高部３３の吸収材料の目付は、中央域Ｓ１内の中高部３３以外の領域における吸収コア３１の目付よりも高く、中間域Ｓ４における一対の第１低目付領域４１の間の領域の目付よりも高い。好ましくは、第１低目付領域４１間の吸収コアの厚み、及び第１低目付領域４１よりも後側の吸収コア３１の厚みは、中高部３３の厚みよりも薄い。より好ましくは、後側域Ｓ３全体の吸収コア３１の厚みは、中高部３３の厚みよりも薄い。中高部３３の厚みが比較的厚いため、着用者の排泄口にフィットさせ易い。一方、後側域Ｓ３の吸収コアの厚みが比較的薄く、後側域Ｓ３の剛性が比較的低いため、着用者の脚の動きに追従し易くなり、脚を動かした際の違和感を低減できる。また、吸収コアの目付が比較的高いと、吸収コアがよれやすくなる。第１低目付領域４１間の吸収コアの目付及び第１低目付領域４１よりも後側の吸収コア３１の目付が低いことにより、着用者の臀部側における吸収コアがよれ難くなる。中高部３３の後端縁は、第１低目付領域４１の前端縁である。中高部３３の前端縁は、後述する第１サイド圧搾部８１に隣接している。中高部３３は、第１サイド圧搾部８１によって囲まれている。
【００５８】
吸収体３０は、第１低目付領域４１及び第２低目付領域４２を有する。ここで、「低目付領域」は、その周囲の吸収コア３１よりも低い目付を有する吸収コア３１からなる領域、又は吸収コア３１を有していない領域を意味する。このように、「低目付領域」は、吸収コア３１の目付が零である領域を含む概念である。着用者が寝た姿勢において、吸収性物品の後側域は着用者の臀部の真下、すなわち臀部と床との間に配置される。後側域に形成された第２低目付領域は、比較的剛性が低いため、着用者に与える違和感は小さい。また、第１低目付領域及び第２低目付領域により、吸収コアを構成する吸収材料は、中央域と、後側域の右側部分と、後側域の左側部分との間で移動し難くなる。これにより、着用中の動作により、吸収コアを構成する吸収材料が局所的に集中することを抑制することができる。その結果、吸収性物品の着用中に、着用者の違和感を緩和することができる。したがって、着用者は、特に寝た姿勢においても、違和感を覚え難い。
【００５９】
低目付領域４１〜４２における吸収コア３１の目付は、低目付領域４１〜４２のまわりの吸収コア（中高部を除く）の目付の６０％以下であることが好ましく、５０％以下であることがより好ましい。本実施形態の第１低目付領域４１の目付及び第２低目付領域の目付は、後側域Ｓ３における吸収コアの外側縁の目付よりも低い。
【００６０】
吸収コア３１が「低目付領域」を有していない領域である場合でも、コアラップは、低目付領域を跨いで吸収コア３１全体を包む。この場合、吸収コア３１が複数の領域に分断されていたとしても、吸収体３０は、コアラップによって一体的に形成される。
【００６１】
第１低目付領域４１及び第２低目付領域４２は、吸収体３０の剛性が変化する境目となる。したがって、第１低目付領域４１及び第２低目付領域４２は、吸収体３０が変形し易い領域に相当する。
【００６２】
第１低目付領域４１は、中間域Ｓ４に設けられる。一対の第１低目付領域４１は、吸収コアの両外側縁から幅方向内側にそれぞれ延びる。第１低目付領域によって、中央域における吸収体の変形が後側域における吸収体の変形に与える影響を抑制し、中央域と後側域とで吸収性物品が独立して変形し易くなっている。よって、吸収性物品の中央域を着用者の股下の形状に沿って配置し、かつ吸収性物品の後側域を着用者の臀部の形状に沿って配置できる。第１低目付領域４１は、前後方向Ｌにおけるウイング３の中心３ＬＣよりも後側かつ吸収体３０の後側縁よりも前側に設けられている。第１低目付領域４１は、前後方向Ｌにおいて、ウイング３の後端縁を跨ぐように設けられている。ウイングの基端部となるウイングの後端縁を前後方向に跨って第１低目付領域４１が配置されるため、着用者の脚からウイングに掛かる力を第１低目付領域で分断し、後側域に当該力が伝播することを抑制できる。ウイングの基端部となるウイングの後端縁を前後方向に跨って第１低目付領域４１が配置されるため、着用者の脚からウイングに掛かる力を第１低目付領域４１で分断し、後側域Ｓ３に当該力が伝播することを抑制できる。このように吸収性物品が体にフィットした状態で着用者が歩行すると、両脚によって挟まれる中央域には、捻じれ方向の力がかかる。このとき、一対の第１低目付領域がそれぞれ変形し、第１低目付領域で捻じれ方向の力による変形を吸収し、後側域の変形を少なくできる。よって、後側域は、脚の動きによって中央域が大きく移動した場合であっても、中央域と比べて少なく移動し、臀部に対して沿い続けることができる。
【００６３】
一対の第１低目付領域４１は、幅方向において離間している。これにより、一対の第１低目付領域間の吸収コアを中心として中央域と後側域とのそれぞれが左右に変形できる。よって、歩行時における着用者の体に追従して、吸収性物品が捻じれるように変形することができ、股下及び臀部に対するフィット性を維持し、漏れを抑制できる。また、中央域及び後側域が体にフィットした状態が歩行時に維持されるため、着用者は、吸収性物品が常に体に沿い続けるという安心感を得ることができる。一対の第１低目付領域４１の間に吸収コアが配置される。当該一対の低目付領域間の吸収コアは、着用者の脚によって挟まれた際に第１低目付領域４１を基点に凸状に変形し、着用者の体にフィットする。また、一対の第１低目付領域４１の間に吸収コアが配置されるため、中央域Ｓ１から後側域Ｓ３に体液を導くことができる。
【００６４】
また、本実施形態は、一対の第１低目付領域４１が幅方向に離間しており、中央域Ｓ１と後側域Ｓ３が完全に分断しない。一対の第１低目付領域４１の間に吸収コアが配置されているため、中央域Ｓ１と後側域Ｓ３との相対位置のずれを低減できる。そのため、夜起きてからトイレ等まで歩く際に、中央域Ｓ１と後側域Ｓ３の位置がずれ難くなり、厚み方向に段差が形成されることを抑制でき、違和感が生じ難い。更に、中央域Ｓ１と後側域Ｓ３の位置がずれ難くなり、体に対して適した位置に中央域Ｓ１及び後側域Ｓ３を配置し易い。
【００６５】
第１低目付領域４１は、中央域Ｓ１、後側域Ｓ３、及び中間域Ｓ４のうち中間域Ｓ４のみに配置される。すなわち、第１低目付領域４１は、中央域Ｓ１及び後側域Ｓ３に設けられない。第１低目付領域４１は、前側域Ｓ２にも設けられない。より詳細には、第１低目付領域は、ウイングの前後方向の中心３ＬＣを通り、幅方向に延びる直線上に配置されず、当該中心３ＬＣよりも後方に位置する。中央域Ｓ１は、着用者の脚によって挟まれ、幅方向内側に向かう力がかかる。当該力は、特にウイングの前後方向の中心３ＬＣに掛かり、吸収コアは、幅方向内側に向かう力によって着用者に体にフィットするように隆起する。第１低目付領域４１がウイングの前後方向の中心３ＬＣに対してずれていることにより、ウイングの前後方向の中心３ＬＣに対して幅方向内側に向かう力がかかり、中央域Ｓ１のフィット性を阻害しない。
【００６６】
一対の第１低目付領域４１は、中央域Ｓ１及び後側域Ｓ３には設けられない。中央域Ｓ１に低目付領域が形成されていないため、中央域Ｓ１における横漏れを効果的に抑制できる。また、中央域の吸収コアの剛性を維持でき、着用者の脚によって吸収コアが挟まれた際に中央域の吸収コアが変形し過ぎることを抑制し、中央域の吸収コアの意図しない変形を抑制できる。また、着用者は、中央域Ｓ１によって体液を吸収してくれるという安心感を得ることができ、漏れに対する不安を感じることなく吸収性物品を使用することができる。
【００６７】
また、後側域Ｓ３に第１低目付領域４１が形成されていないため、後側域Ｓ３の吸収コア３１の外側縁は、変形し難く、変形基点として維持されやすい。よって、後側域Ｓ３における吸収コア３１の幅方向の中央が吸収コアの側部を基点に凸状に変形し易くなり、吸収コアが臀裂にフィットし続け易くなり、漏れの発生を抑制できる。また、前側域Ｓ２に第１低目付領域４１が設けられていないことにより、前側域Ｓ２が膣口にフィットする力を逃すことなく、前側域Ｓ２を膣口にフィットさせることができ、横漏れを防止できる。
【００６８】
第１低目付領域４１の外側縁の前後方向の長さは、第１低目付領域４１の内側縁の前後方向の長さよりも長い。第１低目付領域４１の前後方向の長さは、幅方向の外側に向かうにつれて長くなる。これにより、吸収コアが捻れる力を受けた際に吸収コアの可動域が広くなり、吸収コアがより体に追従して変形できる。また、第１低目付領域は、左右それぞれに一対で形成されており、第１低目付領域の形状は、幅方向内側に向かって細くなる先細り形状である。よって、左右の第１低目付領域において幅方向内側に延びる外縁を延長した仮想線は、略Ｘ字形状となる。吸収コアは、幅方向中央を支点に回転方向に移動し易くなり、脚の前後の動きに対して追従し易くなる。
【００６９】
第１低目付領域４１は、吸収性物品を前後方向に３等分した３つの領域のうち、中央に位置する領域に設けることができる。３つの領域における前側の領域に第１低目付領域４１が設けられていないことにより、前側域Ｓ２が膣口にフィットする力を逃すことなく、前側域Ｓ２を膣口にフィットさせることができ、横漏れを防止できる。また、３つの領域における後側の領域に第１低目付領域４１が設けられていないことにより、後側域Ｓ３の吸収コア３１の外側縁は、変形し難く、変形基点として維持されやすい。よって、後側域Ｓ３における吸収コア３１の幅方向の中央が吸収コアの側部を基点に凸状に変形し易くなり、吸収コアが臀裂にフィットし続け易くなり、漏れの発生を抑制できる。第１低目付領域４１は、前後方向においてウイング３とヒップフラップ４に跨る範囲に設けられる。中央域Ｓ１は、ウイング３を介して下着に固定され、後側域Ｓ３は、ヒップフラップ４を介して下着に固定される。第１低目付領域４１がウイング３とヒップフラップ４に跨る範囲に設けられるため、中央域Ｓ１の動きと後側域Ｓ３の動きの両方を緩衝する機能を発揮する。
【００７０】
第１低目付領域４１の前後方向の長さは、第１低目付領域４１の外側縁の位置で、好ましくは１０ｍｍ以上かつ５０ｍｍ以下であり、より好ましくは１０ｍｍ以上かつ３０ｍｍ以下である。第１低目付領域の前後方向の長さが１０ｍｍ以上であるため、中央域の変形と後側域の変形とを効果的に分断できる。また、第１低目付領域の前後方向の長さが５０ｍｍ以下であるため、第１低目付領域によって体の変形を吸収しつつ後側域によって臀部側に流れた体液を吸収できる。着用者は、臀部側に経血が流れる不安を感じ難く、装着時の安心感を得ることができる。
【００７１】
防漏カフを構成する伸縮性部材９１は、前後方向Ｌにおいて第１低目付領域４１を跨いで配置される。伸縮性部材９１によって前後方向に伸縮する領域は、第１低目付領域４１に重なり、伸縮性部材９１による収縮が効きやすい。また、脚の動きに追従して吸収性物品１が捻れて体にフィットする際、第１低目付領域４１は、圧縮されたり、伸長したりする。伸縮性部材９１は、第１低目付領域４１が圧縮する際に収縮し易く、第１低目付領域４１が伸長する際に伸長し易い。吸収性物品１が捻れた状態においても、起立性の防漏ギャザーが体に追従し易くなり、フィット性を良好に保つことができる。加えて、伸縮性部材９１の収縮によって第１低目付領域４１を挟んで前後方向両側に位置する中央域Ｓ１と後側域Ｓ３とを近付けることができる。よって、第１低目付領域４１の変形によって中間域Ｓ４に皺が生じた場合であっても、当該皺を寄せることができる。
【００７２】
第２低目付領域４２は、後側域Ｓ３において、吸収性物品の中心線ＣＬに沿って前後方向Ｌに延びている。第２低目付領域４２は、前後方向Ｌに直線的に延びていてよい。後側域に第２低目付領域が形成されているため、吸収性物品の幅方向外側から幅方向内側に向かう力により、幅方向における後側域の中心は、着用者の体に向けて突出し易い。これにより、後側域では、吸収性物品は、寝た姿勢において着用者の臀裂の形状に合わせて変形することができる。その結果、着用者は、臀部において吸収性物品との心地よいフィット感を得られる。
【００７３】
また、第２低目付領域４２は、一対の第１低目付領域４１を結ぶ仮想線に対して交差する。当該仮想線は、各第１低目付領域のいずれかの部分同士を結ぶような線であればよく、具体的には、第１低目付領域の後端縁同士を結ぶ線である。第２低目付領域４２は、左右の第１低目付領域４１の後端縁を結ぶ仮想線よりも前方に延出する。第１低目付領域を基点として吸収コアの変形を第２低目付領域に伝播しやすくなる。第１低目付領域による幅方向に延びる変形基点と、第２低目付領域による前後方向に延びる変形基点と、が連動し易くなり、より臀裂の深い位置に到達するように変形できる。また、体の前後方向に沿って中高部と第２低目付領域による凸形状とが擬似的につながり、体液を吸収可能な領域が前後方向に連なる。よって、着用者の肌に付着した体液を迅速に吸収でき、体液が肌の表面を伝うことを抑制し、体液の漏れを低減できる。また、第２低目付領域を頂点として凸状に変形した部分は、一対の第１低目付領域の間に位置し、第１低目付領域を介して着用者の脚からの力を受ける。そのため、第２低目付領域の後側は、第１低目付領域を介して幅方向外側から幅方向内側に向かう力を受けた際に、第１低目付領域を結ぶ仮想線上の第２低目付領域を支点として左右に動く。第２低目付領域が幅方向に自由に移動する構成と比較して、第２低目付領域の前側の移動を制限でき、吸収コアのよれを抑制でき、体液の漏れを抑制できる。
【００７４】
第２低目付領域４２の後端縁は、吸収コアの後端縁よりも前側、かつ前後方向における後側域Ｓ３の中心よりも後側に位置する。着用者の体の前後方向Ｌに沿った断面において、臀部間の溝（臀裂）は、会陰部よりも後方から尾てい骨に至る領域に存在し、当該領域に第２低目付領域が当てられる。第２低目付領域４２の両側には、吸収コアの目付が第２低目付領域４２よりも高く、クッション性が高い領域が配置される。第２低目付領域４２の両側が尾てい骨に対して柔らかく当たり、着用者の肌への刺激を防止できる。また、第２低目付領域よりも後方は、吸収コアが配置され、第２低目付領域が形成されていないため着用者側に隆起しない。体の臀裂よりも後方は、仙骨周辺となり、比較的平らな形状である。仙骨周辺に当たる部分が平らな形状となり、吸収コアの後端縁が着用者の体にフィットする。
【００７５】
第１低目付領域４１及び第２低目付領域４２が重なる領域では、吸収性物品を構成する構成部材同士が接合されてなくてもよい。具体的には、表面シート１１と吸収体３０が非接合であってもよいし、非肌面シート２０と吸収体３０が非接合であってもよい。構成部材同士が接合されていないことにより、第１低目付領域４１及び第２低目付領域４２がより柔軟に変形でき、吸収性物品が体により体に追従して変形し易くなる。
【００７６】
（３）圧搾部
吸収性物品１は、少なくとも吸収コア３１が厚み方向Ｔに圧縮されることによって形成された圧搾部８０を有する。圧搾部が形成された領域は、圧搾部が形成されてない領域と比較して密度が高い部分である。圧搾部８０は、圧搾部が形成されてない領域と比較して密度が高い部分である。圧搾部８０は、第１サイド圧搾部８１と、第２サイド圧搾部８２と、を有している（図１参照）。圧搾部８０は、中央域Ｓ１、前側域Ｓ２、及び後側域Ｓ３に設けられ、中間域Ｓ４に設けられていない。よって、第１低目付領域４１には、圧搾部が設けられていない。このような吸収性物品によれば、中間域に圧搾部が設けられなく、第１サイド圧搾部と第２サイド圧搾部が前後方向に離れているため、中央域における吸収コアの変形が、後側域における吸収コアの変形に与える影響をより効果的に抑制できる。また、第２低目付領域の両側には、前後方向に延びる一対の第２サイド圧搾部が設けられている。第２サイド圧搾部は、比較的剛性が高いため、吸収コアの変形基点となる。一対の第２サイド圧搾部の間に挟まれた第２低目付領域は、より着用者の体側に隆起し易くなる。これにより、より着用者の体になじみ、着用者に対して心地よいフィット感を与えることができる。中央域における吸収コアの側部は、第１サイド圧搾部によって剛性が高くなり、吸収コアの側部に対して幅方向の中央が着用者の排泄口に向かって凸状に変形し易くなる。また、中間域は、圧搾部が設けられず、比較的剛性が低いため、吸収性物品に捻じれ方向の力がかかった際に一対の第１低目付領域によって変形し易い。よって、脚の動きに追従するように、吸収性物品が捻じれるように変形できる。よって、第１低目付領域４１によって前側域の変形を吸収し、後側域を臀部により沿わせ続けることができ、漏れを抑制できる。
【００７７】
第１サイド圧搾部８１は、少なくとも中央域Ｓ１に設けられている。第１サイド圧搾部８１は、表面シート１１と吸収体３０とが厚み方向Ｔに圧縮されることによって形成される。第１サイド圧搾部８１は、中心線ＣＬ及び中高部３３を挟んで両側に配置され、前後方向Ｌに延びる。第１サイド圧搾部８１は、中高部３３の外側縁を規定する。
【００７８】
第１サイド圧搾部８１は、吸収コア３１の前端縁付近で幅方向Ｗに向かって曲がっており、Ｕ字型に連続的に繋がっている。この代わりに、第１サイド圧搾部８１は、中高部３３の幅方向Ｗ両側に、別個に設けられていてもよい。すなわち、一対の第１サイド圧搾部８１が、互いに分断された形態で、別個に設けられていてもよい。これにより、吸収性物品に幅方向外側から幅方向内側に向かう力がかかった際に、第１サイド圧搾部８１を介して中高部に力が伝わり易くなり、中高部を膣口に対してフィットさせ易くなる。
【００７９】
第２サイド圧搾部８２は、後側域Ｓ３において、第２低目付領域４２を挟んで両側に設けられている。第２サイド圧搾部８２は、第２低目付領域４２と離間しており、第２低目付領域による凸状の変形を阻害しない。第２サイド圧搾部８２は、前後方向Ｌに沿って延びている。第１サイド圧搾部８１と第２サイド圧搾部８２は、前後方向において離間する。第１サイド圧搾部８１と第２サイド圧搾部８２の間には、第１低目付領域４１が配置される。第１サイド圧搾部と第２サイド圧搾部が前後方向に離れているため、中央域Ｓ１における吸収体の変形が、後側域における吸収体の変形に与える影響をより効果的に抑制できる。また、第２サイド圧搾部が第２低目付領域４２を挟んで両側に設けられているため、一対の第２サイド圧搾部の間に挟まれた第２低目付領域は、より着用者の体側に隆起し易くなる。吸収コアがより着用者の体になじみ、着用者に対して心地よいフィット感を与えることができる。
【００８０】
（４）粘着領域
図２に示すように、吸収性物品１は、吸収性物品１を下着Ｓに止めるための粘着剤が設けられた第１粘着領域としての第１本体粘着領域６１、第２粘着領域としての第２本体粘着領域６２、ウイング粘着領域６３及びヒップフラップ粘着領域６４を有する。これらの粘着領域６１〜６４は、非肌面シート２０の非肌面側に設けられている。
【００８１】
第１本体粘着領域６１は、第２本体粘着領域６２よりも前方に配置されている。第１本体粘着領域６１及び第２本体粘着領域６２は、前後方向Ｌに延びている。第１本体粘着領域６１は、第２本体粘着領域６２から前後方向Ｌに離間して配置されている。第１本体粘着領域６１は、第１低目付領域４１よりも前側に位置する。第２本体粘着領域６２は、第１低目付領域４１よりも後側に位置する。ウイング粘着領域６３はウイング３に設けられている。ヒップフラップ粘着領域６４はヒップフラップ４に設けられている。第１粘着領域と第２粘着領域とが離間していることにより、第１低目付領域よりも前方の領域と、第１低目付領域よりも後方の領域と、で別々の変形や動きを実現し易くなる。中央域と後側域とで、着用者の体の形状に合わせて異なる形状に、より容易に変形できる。
【００８２】
第１低目付領域４１は、厚み方向Ｔにおいて、粘着領域６１〜６４と重ならない領域に配置されていることが好ましい。より具体的には、第１低目付領域４１は、第１本体粘着領域６１と第２本体粘着領域６２との間の領域に設けられている。第２低目付領域４２は、厚み方向Ｔにおいて、粘着領域６１〜６４と重ならない領域に配置されていることが好ましい。より具体的には、第２低目付領域４２は、複数の第２本体粘着領域６２同士の間に設けられている。これにより、第１低目付領域の変形及び第２低目付領域の変形が下着によって過度に阻害されることを抑制できる。第１低目付領域によって中央域にかかる力を後側域に伝達することを抑制することができる。また、第１低目付領域４１及び第２低目付領域４２がより変形基点として機能し得るようになる。つまり、第１低目付領域４１及び第２低目付領域４２を挟んで隣り合う吸収コア３１が互いに独立に動きやすくなる。これにより、吸収体３０が着用者の股下及び臀部の形状に合わせてよりフィットし易くなる。したがって、より着用者の体になじみ、着用者に対してより心地よいフィット感を与えることができる吸収性物品を提供することができる。
【００８３】
第２サイド圧搾部８２は、第２本体粘着領域６２と重なる領域に設けられていることが好ましい。第２サイド圧搾部８２が設けられた領域が下着に止着される。これにより、吸収コア３１が第２サイド圧搾部８２を基点に変形する際に、下着によって第２サイド圧搾部８２を支持できる。変形の基点となる第２サイド圧搾部８２が支持されるため、第２サイド圧搾部８２間の領域が突出した状態を維持し易くなる。
【００８４】
（５）着用中の吸収性物品
次に、図５から図７を参照し、着用中の吸収性物品の形状について説明する。図５は、使用中の吸収性物品の、図１のＣ−Ｃ線に沿った模式的断面図である。図６は、使用中の吸収性物品の、図１のＤ−Ｄ線に沿った模式的断面図である。図７は、下着に装着された状態の吸収性物品を肌対向面側から見た図である。なお、図５及び６では、着用者の体の形状を示すラインを二点鎖線で示している。
【００８５】
生理用ナプキンとしての吸収性物品１を着用する際、吸収性物品１は下着Ｓに固定される。着用者は、吸収性物品を取り付けた下着を引き上げ、吸収性物品を装着する。下着を引き上げることにより、吸収性物品の中央域Ｓ１と後側域Ｓ３は、下着を介して着用者側に押圧され、着用者の体に密着する。この状態において、着用者の脚に挟まれると、吸収性物品１の中央域Ｓ１は、着用者の両脚によって挟まれ、幅方向Ｗの外側から幅方向Ｗの内側に向かう力を受ける。
【００８６】
吸収性物品１の幅方向Ｗに沿った着用者の体の断面形状は、股下近傍と臀部近傍とで異なる。具体的には、着用者の股下の陰裂(経血が出る膣口あたり)近辺の体の断面形状は、大陰唇が凹んでおり、吸収性物品１側から凹む形状である。この着用者の股下域に、吸収性物品の中央域Ｓ１が対向して配置される。着用者の股下においては、中央域Ｓ１の吸収コア３１、特に中高部３３が体に沿って配置され、股下における体液の漏れを抑制できる（図５参照）。
【００８７】
着用者の大陰唇より後方に位置する会陰部よりも後方には、肛門や臀裂が位置する。この会陰部よりも後方近辺の体の断面形状は、幅方向の中心が窪んだ形状である。この着用者の臀部に、吸収性物品の後側域Ｓ３が対向して配置される。
【００８８】
後側域Ｓ３では、中心線ＣＬに沿って前後方向Ｌに延びる第２低目付領域４２が形成されている。また、後側域Ｓ３の吸収コアは、吸収コアの側部が左右の臀部によって押し下げられる。このとき、ヒップフラップが設けられているため、吸収コアの側部のみならず、ヒップフラップも押し下げられる。よって、第２低目付領域を頂点として後側域の吸収コアが更に隆起し易くなる。吸収性物品の外側から内側に向かう力により、幅方向Ｗにおける後側域Ｓ３の中心は、着用者の体に向けて突出し易い（図６参照）。これにより、後側域Ｓ３では、吸収性物品１は、着用者の臀裂の形状に合わせて変形することができる。その結果、着用者は、臀部においても、吸収性物品１との心地よいフィット感を得られる。また、第２低目付領域よりも後方は、吸収コアが配置され、第２低目付領域が形成されていないため着用者側に隆起しない。体の臀裂よりも後方は、仙骨周辺となり、比較的平らな形状である。仙骨周辺に当たる部分が平らな形状となり、吸収コアの後端縁が着用者の体にフィットする。
【００８９】
ここで、吸収性物品１は、中央域Ｓ１と後側域Ｓ３とで、着用者の体の形状に合わせて異なる形状に変化しようとする。第１低目付領域４１は、中央域Ｓ１における吸収体３０の変形が、後側域Ｓ３における吸収体３０の変形に与える影響を抑制している。すなわち、第１低目付領域４１によって、中央域Ｓ１と後側域Ｓ３とで、吸収性物品が独立して変形し易くなっている。
【００９０】
また、このように構成された吸収性物品は、装着された状態で着用者の脚の動きに応じて変形する。図７は、着用者が脚を交互に動かした際の吸収性物品の変形態様を示している。図７（ａ）は、着用者の両脚の位置が前後方向において一致している状態を示している。図７（ａ）に示す状態から着用者が、図７において左側に位置する左脚を右脚よりも前に出すと、中央域Ｓ１が左脚によって右前方に向かって押され、図７（ｂ）に示す状態となる。また、図７（ａ）に示す状態から着用者が、図７において右側に位置する右脚を左脚よりも前に出すと、中央域Ｓ１が右脚によって左前方に向かって押され、図７（ｃ）に示す状態となる。
【００９１】
図５及び図６に示すように吸収性物品が体にフィットした状態で、着用者が歩くと、脚が交互に動き、製品がねじれる方向に力がかかる。この際、両サイドにある切欠き部がねじれの力を緩衝してくれることにより、凸にフィットしている形状を維持することができる。
【００９２】
より詳細には、着用者が脚を動かしていない状態では、図５に示すように、着用者の股下に中央域Ｓ１がフィットし、図６に示すように、着用者の臀裂に後側域Ｓ３がフィットする。この状態で着用者が脚を動かすと、脚によって挟まれた中央域Ｓ１が、脚の前後の動きに応じて捻じれる方向の力を受ける。具体的には、着用者の脚から吸収性物品に対してかかる力は、中央域Ｓ１、特にウイングの前後方向の中心３ＬＣにかかり易い。吸収性物品の中央域Ｓ１、特にウイングの前後方向の中心３ＬＣは、幅方向に沿った力がかかる。このとき、後側域は、体にフィットしており、一対の第１低目付領域間の領域の剛性が比較的低いため、中央域は、一対の第１低目付領域間の領域を中心として左右に振れる。よって、中央域Ｓ１は、対の第１低目付領域間の領域を中心として左右に捻じれる。また、歩行時のみならず、着用者が寝た状態で寝返りをした際にも、体が捻じれ、中央域Ｓ１と後側域Ｓ３で捻じれる方向の力がかかる。よって、脚の動きに応じて吸収性物品が捻じれるように変形し、体の動きに追従できる。
【００９３】
このとき、第１低目付領域４１は、比較的目付が低く剛性が低いため、圧縮されたり、伸長したりする。第１低目付領域の変形によって、中央域Ｓ１の変形が後側域Ｓ３に伝達することを抑制できる。例えば、図７（ｂ）及び（ｃ）に示すように、一対の第１低目付領域４１間の吸収コアを中心として、中央域Ｓ１の前端縁が左右に大きく振れた場合において、左右の第１低目付領域がそれぞれ変形し、中央域の変形を吸収できる。そのため、中央域Ｓ１の前端縁が左右に大きく振れた場合であっても、後側域を体に沿わせ続けることができる。同様に、第１低目付領域４１によって、後側域Ｓ３の変形が中央域Ｓ１に伝達することを抑制できる。よって、中央域Ｓ１と後側域Ｓ３が互いに緩衝せず、それぞれが体に沿い続けることができる。
【００９４】
（６）変形例
次いで、図８に基づいて変形例に係る吸収性物品１Ａについて説明する。なお、変形例の説明において、上述の実施形態と同様の構成については同符号を用いて説明を省略する。変形例１に係る第１低目付領域４１は、切れ込みによって構成されている。当該切れ込みからなる第１低目付領域によっても、中央域と後側域の吸収コアの動きを分断する効果、及び吸収性物品が捻じれるような変形を実現できる。
【００９５】
第２低目付領域４２の後端縁は、吸収コアの後端縁に位置する。よって、前後方向における吸収コアの後端縁と第２低目付領域の前端縁との間の領域は、第２低目付領域によって左右に分断されている。
【００９６】
第２低目付領域４２の後端縁が吸収コア３１の後端縁に位置することにより、吸収コアを左右に分割し、後側域Ｓ３の吸収コア３１を左右で別々に体の動きに追従させ易くなる。例えば、着用者が歩行する際は、左右の脚を交互に動かす。この脚の動きに伴って臀部も左右交互に動く。後側域Ｓ３の吸収コア３１の幅方向全域が一体化して移動すると、脚の交互の動きによって後側域Ｓ３の吸収コア３１全体が左右に移動し、臀部におけるフィット感が安定しないことがある。
【００９７】
後側域Ｓ３の吸収コア３１が第２低目付領域４２によって左右に分断されていることにより、脚の交互の動きによって、第２低目付領域４２を挟んだ片方ずつの吸収コア３１が移動する。よって、第２低目付領域４２を挟んだ片方の吸収コア３１を体の動きに追従して移動させ、他方の吸収コア３１を体にフィットさせ続けることができる。
【００９８】
また、変形例にかかる吸収性物品１Ａは、吸収性物品を折り畳むための折り線を有している。変形例１に係る吸収性物品は、前後方向に沿う前後折り線ＦＬ、及び幅方向に沿う幅折り線Ｆ１〜Ｆ３を有する。当該折り線は、個別に包装される際に折り畳む線である。第１低目付領域４１は、前後折り線ＦＬ、及び幅方向に沿う幅折り線Ｆ１〜Ｆ３を有しない領域に配置される。第１低目付領域４１が折り線を有しない領域に配置されているため、第１低目付領域４１に折り癖が形成されず、第１低目付領域４１による変形基点としての機能を発揮し続けることができる。
【００９９】
また、第１低目付領域４１に折り線が設けられないため、第１低目付領域に折り癖が形成されず、第１低目付領域を基点に吸収コアを変形させることができる。より詳細には、折り線によって第１低目付領域の一部の剛性が高くなることを抑制できる。例えば、第１低目付領域４１に折り線が設けられると、折れ線が設けられた部分の繊維が密になるため、吸収性物品に力が加わった際に当該密の部分に力が集中し易い。そのため、密になった部分が変形基点となり、吸収コアの型崩れが生じるおそれがある。しかし、第１低目付領域４１に折り線が設けられないため、意図しない変形基点が設けられることを抑制できる。吸収コアが第１低目付領域４１を基点に変形することにより、臀裂にフィットし続ける効果を発揮し、漏れの発生を抑制できる。
【０１００】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。したがって、本明細書の記載は、例示説明を目的とするものであり、本発明に対して何ら制限的な意味を有するものではない。
【符号の説明】
【０１０１】
１        ：吸収性物品
３        ：ウイング
４        ：ヒップフラップ
１０      ：肌面シート
２０      ：非肌面シート
３１      ：吸収コア
３３      ：中高部
４１      ：第１低目付領域
４２      ：第２低目付領域
６１      ：第１本体粘着領域
６２      ：第２本体粘着領域
８１      ：第１サイド圧搾部
８２      ：第２サイド圧搾部
Ｌ        ：前後方向
Ｗ        ：幅方向
Ｔ        ：厚み方向
Ｓ１      ：中央域
Ｓ２      ：前側域
Ｓ３      ：後側域
Ｓ４      ：中間域
ＣＬ      ：中心線
ＦＬ、Ｆ１、Ｆ２、Ｆ３        ：折り線
【図１】
0006420779.tif 000002
【図２】
0006420779.tif 000003
【図３】
0006420779.tif 000004
【図４】
0006420779.tif 000005
【図５】
0006420779.tif 000006
【図６】
0006420779.tif 000007
【図７】
0006420779.tif 000008
【図８】
0006420779.tif 000009